(57)【要約】【課題】  ゴルフでのパターやアイアンの使用時に、目標設定ラインに向けて正確にボールを打ち出しできる照準となる照準体と、それを用いたゴルフ用メガネを提供すること。【解決手段】  照準体ａは棒状鉛直部１と棒状鉛直部１にＴ字形に一体の棒状水平部２とから成り、照準体ｂは照準体ａにおいて棒状鉛直部１の上端に、弾性変形自在な二股部５をその開口端６を下方に向けて一体にして成り、二股部５がメガネのフレーム７に着脱自在に取着されて使用される。  また、照準体ａ、ｂをそれぞれレンズ３に配設したゴルフ用メガネＡ、Ｂも提供される。【選択図】  図１
2005125103.tif 000002
【特許請求の範囲】
【請求項１】
棒状鉛直部と、該棒状鉛直部の高さ方向中央で一体の棒状水平部とから成り、横向きＴ字形の姿勢でゴルフ用メガネに用いることを特徴とする照準体。
【請求項２】
前記棒状鉛直部の上端に、弾性変形自在な二股部をその開口端を下方に向けて一体にして成り、該二股部がメガネフレームに着脱自在に取着されることを特徴とする請求項１記載の照準体。
【請求項３】
メガネレンズの何れか一方に、請求項１記載の照準体を配設して成るゴルフ用メガネ。
【請求項４】
メガネレンズの何れか一方において、メガネフレームに請求項２記載の照準体を配設して成るゴルフ用メガネ。
【発明の詳細な説明】
【技術分野】
【０００１】
本発明は、ゴルフ練習時やゴルフコースでのプレー中に使用される照準体と、それを用いたゴルフ用メガネに関する。
【背景技術】
【０００２】
ゴルフ練習時やゴルフコースでのプレー中にゴルファーに着用されるメガネは種々提案されている。その中で、ゴルフボールと目標との合わせを容易化する技術として特開平０５−１６１７３４号公報（特許文献１）がある。この特許文献１に開示された技術は、左右のメガネのレンズに特定の傾きで不連続線３ａ、３ｂを下限としその上方領域Ｃ１を暗い色調として、その下限の３ａ、３ｂの延長に目標を捕えるものである。
しかし、そのときの不連続線３ａ、３ｂに対するパターやアイアン（以下、パターという。）の打撃面の直角度を位置決めできないものである。目標を捕えてもボールを打つパターの打撃面を不連続線３ａ、３ｂに対して直角に確保できなければ、目標設定ラインに向けて正確にボールを打ち出しできないこととなる。
【特許文献１】特開平０５−１６１７３４号公報
【発明の開示】
【発明が解決しようとする課題】
【０００３】
本発明は、上記事情に鑑みて、パターの使用時に、目標設定ラインに向けて正確にボールを打ち出しできる照準となる照準体と、それを用いたゴルフ用メガネの提供をその目的とする。
【課題を解決するための手段】
【０００４】
上記課題を達成する本発明の請求項１に記載した照準体は、棒状鉛直部と、該棒状鉛直部の高さ方向中央で一体の棒状水平部とから成り、棒状水平部はその延長上に目標を捕えるものであり、棒状鉛直部はパターの打撃面を平行に位置決めする目安となる。
請求項２に記載した照準体は、請求項１の照準体において、棒状鉛直部の上端に、弾性変形自在な二股部をその開口端を下方に向けて一体にして成り、該二股部がメガネフレームに着脱自在に取着されて使用される。
請求項３に記載したゴルフ用メガネは、メガネレンズの何れか一方に、請求項１に記載した照準体を配設して成る。ここで配設とは、レンズ面（表裏面の何れか一面）に接着して設けたり、刻設やコーティングなどである。
請求項４に記載したゴルフ用メガネは、メガネレンズの何れか一方において、メガネフレームに請求項２に記載した照準体を配設して成る。
【発明の効果】
【０００５】
本発明によれば、横向きＴ字形の姿勢でゴルフ用メガネに用いられる照準体は、その棒状水平部の延長上に目標を捕える手立てとなるとともに、棒状水平部にボールの中心を位置決めでき、棒状鉛直部に対してパターの打撃面を平行に確保できるから、目標設定ラインに向けて正確にボールを打ち出しできる効果がある。
【発明を実施するための最良の形態】
【０００６】
本発明のゴルフ用メガネにおける照準体は、メガネのレンズ自体に接着又はコーティングされるものでもよく（この場合は左利き用、右利き用が準備される）、又はメガネのフレームに着脱自在に取着されるものなどである。
照準体の目視される面に蓄光体を塗布すれば、日没などの日射しの悪い条件下でも目標設定やパターの打ち出しが容易となる。
【実施例】
【０００７】
本発明を実施例により説明すると、図１に示すゴルフ用メガネＡは、右利き用のもので所要高さの棒状鉛直部１と、棒状鉛直部１の高さ方向中央で一体の棒状水平部２とから成る照準体ａが、外側から見て左方のレンズ３の外面に、棒状鉛直部１を智４側に向けて横向きＴ字形の姿勢で接着されて成る。
このようにレンズ面に直接配設される照準体ａは合成樹脂による射出成形品や金属製プレス加工品でもよく、目視される側に適宜な彩色を施したもので量産されるものであったり、適宜な彩色でコーティングされる。
【０００８】
次に、図２の分図（ａ）にその一部を示したゴルフ用メガネＢについて説明すると、このものは右利きのゴルファーに着用されるもので、照準体ａの棒状鉛直部１の上端に、弾性変形自在な二股部５を図２（ｂ）に示すようにその開口端６を下方に向けて一体にして成る照準体ｂを、二股部５においてメガネフレーム７に着脱自在に取着したものである。
この照準体ｂは、照準体ａにおけると同様に外側から見て左方のレンズ３の外面に、棒状鉛直部１を智４側に向けて設けられたもので、右方のレンズ３（左利き用の場合）には、照準体ｂと左右対称のものが求められるが、照準体ｂを反転して右方のメガネフレーム７に取着して使用することもできる。その場合には、照準体ａに相当する部分が右方のレンズ３の内面に垂下されることになる。
【０００９】
このようにして成るゴルフ用メガネＡ、Ｂはそれぞれゴルファーに着用されてそのスコアアップの手立てとなるが、その際の基本となる照準体ａの使用状態は図３（ａ）、図３（ｂ）に示すように、右利きのゴルファーのパターの打ち出しにおいて、右目のレンズ３に設けられた照準体ａの棒状水平部２をボール９の中心に据えるとともに、その状態で棒状水平部２の延長上に目標設定ライン１０を捕え（この場合は直接カップ１１を目標としたもの）、この姿勢で棒状鉛直部１と平行にパター８の打撃面１２を整列して打ち出しすれば、カップイン或いはアプローチの精度が向上することとなる。
このようにして体験的に会得された技術は身体に染みついてゴルフ技術を向上させる。
【産業上の利用可能性】
【００１０】
本発明は、ゴルフのスコアアップの一助として、ゴルフ用品業界を始め、メガネ自体の産業界の活性化に資する。
【図面の簡単な説明】
【００１１】
【図１】本発明に係る照準体ａを配設したゴルフ用メガネＡの斜視図。
【図２】本発明に係る照準体ｂを配設したゴルフ用メガネＢの説明図で、（ａ）はその右目側の部分正面図であり、（ｂ）は（ａ）のＡ−Ａ矢視断面図である。
【図３】右目の照準体ａでボール９を打ち出すときの説明図で、（ａ）はパターで（ｂ）はアイアンの使用を示す。
【符号の説明】
【００１２】
１：棒状鉛直部
２：棒状水平部
３：レンズ
４：智
５：二股部
６：開口端
７：フレーム
８：パター
８´：アイアン
９：ボール
１０：目標設定ライン
１１：カップ
１２：打撃面
ａ、ｂ：照準体
Ａ、Ｂ：ゴルフ用メガネ
【図１】
2005125103.tif 000003
【図２】
2005125103.tif 000004
【図３】
2005125103.tif 000005